(57)【要約】【課題】非常時における消費電力が小さく、しかも構造の簡易な非常灯機能付きＬＥＤランプ回路を提供する。【解決手段】複数のＬＥＤ１２を直列に接続し個々のＬＥＤ１２に対して、ＬＥＤ１２のオン電圧よりも高いゼナー電圧のゼナーダイオード１３を逆並列に接続されてなるブロック２１が配置され、通常電源１４からＬＥＤ１２に順バイアスをかけて通常時に作動させるＬＥＤランプ回路１０において、ブロック２１を複数並列に接続するとともに、一部のブロック２２にのみ直列でかつそのカソード側が一部のブロック２２における通常電源１４側に配置されるようにダイオード２３を接続し、一部のブロック２２の通常電源１４側とダイオード２３のカソード側との間に非常電源２４の正極を接続して、通常電源１４から電圧が供給されない非常時には、一部のブロック２２のＬＥＤ１２に順バイアスをかけて一部のブロック２２のみを点灯させる。【選択図】図１
2011150852.tif 000002
【特許請求の範囲】
【請求項１】
複数のＬＥＤを直列に接続しそれら個々のＬＥＤに対して、前記ＬＥＤのオン電圧よりも高いゼナー電圧のゼナーダイオードをそのアノード側を前記ＬＥＤのカソード側にして並列に接続されてなるブロックが配置され、通常電源から前記ＬＥＤに順バイアスをかけて通常時に作動させるＬＥＤランプ回路において、
前記ブロックを複数並列に接続するとともに、
一部のブロックにのみ直列でかつそのカソード側が前記一部のブロックにおける前記通常電源側に配置されるようにダイオードを接続し、
前記一部のブロックの前記通常電源側と前記ダイオードのカソード側との間に非常電源の正極を接続して、前記通常電源から電圧が供給されない非常時には、前記一部のブロックのＬＥＤに順バイアスをかけて前記一部のブロックのみを点灯させることを特徴とする非常灯機能付きＬＥＤランプ回路。
【請求項２】
前記通常電源は交流電源であって、その交流電流は第１のダイオードスタックによって直流電流に変換されることを特徴とする請求項１に記載の非常灯機能付きＬＥＤランプ回路。
【請求項３】
前記非常電源は交流電源であって、その交流電流は第２のダイオードスタックによって直流電流に変換されることを特徴とする請求項１又は２に記載の非常灯機能付きＬＥＤランプ回路。
【請求項４】
前記複数のブロックのそれぞれに、前記ブロックに流れる電流を電圧に関係なく一定に制御する定電流ダイオードを直列に接続してなることを特徴とする請求項１乃至３のうちいずれか一つに記載の非常灯機能付きＬＥＤランプ回路。
【請求項５】
前記一部のブロックを、一つのブロックとしたことを特徴とする請求項１乃至４のうちいずれか一つに記載の非常灯機能付きＬＥＤランプ回路。
【発明の詳細な説明】
【技術分野】
【０００１】
本発明は、通常の照明として使用されるとともに、停電等の非常時には非常灯として機能する非常灯機能付きＬＥＤランプ回路に関するものである。
【背景技術】
【０００２】
近年、蛍光灯に替わる照明器具として、図５に示すような砲弾型ＬＥＤ（ａ）や表面実装型ＬＥＤ（ｂ）といったＬＥＤ１２が内部に複数並べられたＬＥＤランプ１１が普及しつつある。ＬＥＤランプ１１は、図６に示すように、その外観は蛍光灯とほぼ同一である。
ＬＥＤランプ１１は、蛍光灯に比べて消費電力が小さくしかも製品寿命が長いというメリットがあるので、各社が研究開発及び商品化を進めており、本出願人もＬＥＤランプ１１についての特許出願を既に行っている（特許文献１）。
【先行技術文献】
【特許文献】
【０００３】
【特許文献１】特開２００９−１６４９３号公報
【０００４】
特許文献１に記載の発明に係るＬＥＤランプ１１は、図７に示すような回路１０を備える。回路１０は、複数のＬＥＤ１２を直列に接続しそれら個々のＬＥＤ１２に対して、ＬＥＤ１２のオン電圧よりも高いゼナー電圧のゼナーダイオード１３をそのアノード側をＬＥＤ１２のカソード側にして並列に接続されてなり、これに電源（通常の交流電源）１４がダイオードスタック１５、コンデンサＣ、及び定電流ダイオード１６を介して接続されている。電源１４からの交流電流が、ダイオードスタック１５で直流電流に変換され、さらに定電流ダイオード１６で一定に制御された直流電流を、複数のＬＥＤ１２とゼナーダイオード１３が並列に接続された回路に流すことによってＬＥＤ１２を発光させている。
【０００５】
このようなＬＥＤランプ１１は、ＬＥＤ１２の一つに断線等のトラブルが生じた場合であっても、断線したＬＥＤ１２に並列に接続されたゼナーダイオード１３に電流が流れるので、ＬＥＤランプ回路１０全体には電流が流れ続け、残りのＬＥＤ１２は点灯し続ける。よって、ＬＥＤ１２の断線後直ちにその断線したＬＥＤ１２を新品に交換しなくてもＬＥＤランプ１１を使用できるので、ＬＥＤ１２の交換の手間がかからず便利である。
【発明の概要】
【発明が解決しようとする課題】
【０００６】
しかしながら、ＬＥＤランプ１１は停電等で電源１４が作動しないときの対策がなされていないため、停電時にはＬＥＤランプ１１は消灯してしまう。
ここで、ＬＥＤランプ１１をこのような非常時にも点灯させるために、非常電源（通常は充電電池）をＬＥＤランプ１１に接続しておくことが考えられるが、この非常電源を通常の電源１４と同じように単にＬＥＤランプ１１に接続するだけでは、非常時であっても通常時と同じだけ電力を消費してしまう。また、非常時には、充電電池である非常電源で一定時間以上ＬＥＤランプ１１を点灯し続けなければならないので、蛍光灯と比べると消費電力が小さいＬＥＤランプ１１であっても、非常時の消費電力をさらに抑える必要がある。
【０００７】
しかし、ＬＥＤランプ１１を、停電が発生したときには個々のＬＥＤ１２の照度を下げる構造とすると、ＬＥＤランプ１１の回路が複雑になってしまうという問題がある。
【０００８】
そこで、本発明の目的とするところは、非常時における消費電力が小さく、しかも構造の簡易な非常灯機能付きＬＥＤランプ回路を提供することにある。
【課題を解決するための手段】
【０００９】
上記の目的を達成するために、本発明の請求項１に記載の非常灯機能付きＬＥＤランプ回路（２０）は、複数のＬＥＤ（１２）を直列に接続しそれら個々のＬＥＤ（１２）に対して、前記ＬＥＤ（１２）のオン電圧よりも高いゼナー電圧のゼナーダイオード（１３）をそのアノード側を前記ＬＥＤ（１２）のカソード側にして並列に接続されてなるブロック（２１）が配置され、通常電源（１４）から前記ＬＥＤ（１２）に順バイアスをかけて通常時に作動させるＬＥＤランプ回路において、前記ブロック（２１）を複数並列に接続するとともに、一部のブロック（２２）にのみ直列でかつそのカソード側が前記一部のブロック（２２）における前記通常電源（１４）側に配置されるようにダイオード（２３）を接続し、前記一部のブロック（２２）の前記通常電源（１４）側と前記ダイオード（２３）のカソード側との間に非常電源（２４）の正極を接続して、前記通常電源（１４）から電圧が供給されない非常時には、前記一部のブロック（２２）のＬＥＤ（１２）に順バイアスをかけて前記一部のブロック（２２）のみを点灯させることを特徴とする。
【００１０】
また、請求項２に記載の非常灯機能付きＬＥＤランプ回路（２０）は、前記通常電源（１４）は交流電源であって、その交流電流は第１のダイオードスタック（１５）によって直流電流に変換されることを特徴とする。
【００１１】
また、請求項３に記載の非常灯機能付きＬＥＤランプ回路（２０）は、前記非常電源（２４）は交流電源であって、その交流電流は第２のダイオードスタック（２５）によって直流電流に変換されることを特徴とする。
【００１２】
また、請求項４に記載の非常灯機能付きＬＥＤランプ回路（２０）は、前記複数のブロック（２１）のそれぞれに、前記ブロック（２１）に流れる電流を電圧に関係なく一定に制御する定電流ダイオード（１６）を直列に接続してなることを特徴とする。
【００１３】
また、請求項５に記載の非常灯機能付きＬＥＤランプ回路（２０）は、前記一部のブロック（２２）を、一つのブロックとしたことを特徴とする。
【００１４】
ここで、上記括弧内の記号は、図面および後述する発明を実施するための形態に掲載された対応要素または対応事項を示す。
【発明の効果】
【００１５】
本発明の請求項１に記載の非常灯機能付きＬＥＤランプ回路によれば、ブロックを複数並列に接続するとともに、一部のブロックにのみ直列でかつそのカソード側が一部のブロックにおける通常電源側に配置されるようにダイオードを接続し、一部のブロックの通常電源側とダイオードのカソード側との間に非常電源の正極を接続したので、通常電源から電圧が供給されない非常時には、その一部のブロックのＬＥＤに非常電源から順バイアスがかかるとともに、ダイオードには逆バイアスがかかることで、その一部のブロックのみが点灯する。よって、非常時における非常灯機能付きＬＥＤランプ回路の消費電力は通常時におけるものと比べて小さい。
しかも、複数のＬＥＤとゼナーダイオードからなるブロックを複数並列に接続した回路にダイオードと非常電源を加えただけであるので、その非常灯機能付きＬＥＤランプ回路の構造は簡易である。
また、各ブロックは、複数のＬＥＤを直列に接続しそれら個々のＬＥＤに対して、ＬＥＤのオン電圧よりも高いゼナー電圧のゼナーダイオードをそのアノード側をＬＥＤのカソード側にして並列に接続されてなるので、非常時に点灯する一部のブロックにおけるＬＥＤが断線した場合であっても、断線したＬＥＤと並列に接続されたゼナーダイオードに電流が流れ、その一部のブロックの残りのＬＥＤは点灯し続ける。
【００１６】
また、請求項２に記載の非常灯機能付きＬＥＤランプ回路によれば、請求項１に記載の発明の作用効果に加え、通常電源は交流電源であって、その交流電流は第１のダイオードスタックによって直流電流に変換されるので、一般の家庭や事業所、工場等で使用されている交流電源を電源として使用することができる。
【００１７】
また、請求項３に記載の非常灯機能付きＬＥＤランプ回路によれば、請求項１又は２に記載の発明の作用効果に加え、非常電源は交流電源であって、その交流電流は第２のダイオードスタックによって直流電流に変換されるので、非常電源が直流電源の場合のように、接続の際に非常電源の正負を確認する必要がなく、非常電源の接続作業が容易である。
【００１８】
また、請求項４に記載の非常灯機能付きＬＥＤランプ回路によれば、請求項１乃至３に記載の発明の作用効果に加え、複数のブロックのそれぞれに、定電流ダイオードを直列に接続しているので、いずれかのＬＥＤが断線してそれと直列接続されている定電流ダイオードに印加される電圧が低下しても、断線したＬＥＤを含むブロックに流れる電流は電圧に関係なく一定に制御され、安定した照度を引き続き確保することができる。
【００１９】
また、請求項５に記載の非常灯機能付きＬＥＤランプ回路によれば、請求項１乃至４に記載の発明の作用効果に加え、非常時に点灯させる一部のブロックを、一つのブロックとしたので、非常時の消費電力をより抑えることができる。
【００２０】
なお、本発明の非常灯機能付きＬＥＤランプ回路のように、ブロックを複数並列に接続するとともに、一部のブロックにのみ直列でかつそのカソード側が前記一部のブロックにおける通常電源側に配置されるようにダイオードを接続し、前記一部のブロックの通常電源側とダイオードのカソード側との間に非常電源の正極を接続して、通常電源から電圧が供給されない非常時には、前記一部のブロックのＬＥＤに順バイアスをかけて前記一部のブロックのみを点灯させる点は、上述した特許文献１には全く記載されていない。
【図面の簡単な説明】
【００２１】
【図１】本発明の実施形態に係る非常灯機能付きＬＥＤランプ回路を示す回路構成図である。
【図２】図１に示す非常灯機能付きＬＥＤランプ回路を備えるＬＥＤランプ構造の配線図である。
【図３】本発明の他の実施形態に係る非常灯機能付きＬＥＤランプ回路の要部を示す回路構成図である。
【図４】ＬＥＤチップを示す側面図である。
【図５】ＬＥＤを示す側面図であり、（ａ）は砲弾型ＬＥＤを、（ｂ）は表面実装型ＬＥＤを示す。
【図６】ＬＥＤランプを示す外観図であり、（ａ）は平面図を、（ｂ）は側面図を示す。
【図７】従来例に係るＬＥＤランプ回路を示す回路構成図である。
【発明を実施するための形態】
【００２２】
図１、図２、図５、及び図６を参照して、本発明の実施形態に係る非常灯機能付きＬＥＤランプ回路２０を説明する。
この非常灯機能付きＬＥＤランプ回路２０は、主にＬＥＤ１２と、ゼナーダイオード１３と、定電流ダイオード１６と、ダイオード２３と、通常電源１４と、非常電源２４と、を備える。
【００２３】
ＬＥＤ１２は、図５（ａ）に示すような砲弾型ＬＥＤであって、アノード側に正電圧が印加されると通電して発光する。このようなＬＥＤ１２が直列に複数接続されている。
ゼナーダイオード１３は、通常のダイオード２３のように順方向に電流を流すとともに、逆電圧がゼナー電圧よりも大きければ逆方向にも電流が流れる素子である。ここでは、ゼナー電圧がＬＥＤ１２のオン電圧よりも高いゼナーダイオード１３を選択している。
そして、図１に示すように、個々のＬＥＤ１２に対して、ゼナーダイオード１３のアノード側がＬＥＤ１２のカソード側になるようにゼナーダイオード１３をそれぞれ配置し、ＬＥＤ１２とゼナーダイオード１３とを並列に（いわゆる、逆並列で）接続されてなるブロック２１を形成し、このように構成されたブロック２１を複数並列に接続している。
【００２４】
定電流ダイオード１６は、流れる電流を電圧に関係なく一定に制御するものであって、複数のブロック２１のそれぞれの通常電源１４側（電流の上流側）に配置され、各ブロック２１にそれぞれ直列に接続されている。本実施形態においては、定電流ダイオード１６は各ブロック２１に流れる電流を１５ｍＡに制限している。
【００２５】
ダイオード２３は、複数のブロック２１のうちの一つのブロック２２（以下、非常時点灯ブロックと呼ぶ）にのみ直列で、かつダイオード２３のカソード側が、非常時点灯ブロック２２に直列に接続された定電流ダイオード１６の通常電源１４側（アノード側）に配置されるように接続されている。つまり、ダイオード２３のアノード側は、非常時点灯ブロック２２以外の他のブロック２１に直列に接続されたそれぞれの定電流ダイオード１６のアノード側に接続されている。
【００２６】
通常電源１４は、１００Ｖの商用交流電源である。その交流電流は、通常電源１４の出力側に接続された第１ダイオードスタック１５によって直流電流に変換されるとともに、コンデンサＣによって平滑化された直流電圧が、並列に接続されたブロック２１に加えられる。このとき、非常時点灯ブロック２２を含む全ブロック２１におけるＬＥＤ１２に対して通常電源１４から順バイアスがかかるように、通常電源１４の正極がＬＥＤ１２のアノード側に接続されている。
なお、ダイオードスタック１５はダイオードブリッジ又はブリッジスタックとも呼ばれる。
【００２７】
非常電源２４は、図２に示すように、直流電源である充電電池２６と、その６Ｖの直流電圧を１３０Ｖの交流電圧に変換する制御ユニット２７からなる。非常電源２４の交流電流は、第２ダイオードスタック２５によって再び直流電流に変換される。そして、非常電源２４の正極は、非常時点灯ブロック２２に直列に接続された定電流ダイオード１６のアノード側とダイオード２３のカソード側との間に接続されるとともに、非常電源２４の負極は非常時点灯ブロック２２のＬＥＤ１２のカソード側に接続され、非常電源２４から非常時点灯ブロック２２のＬＥＤ１２に順バイアスをかける。
なお、非常電源２４は通常電源１４にも接続されるとともに、停電か否か（通常電源１４のオンオフ）を判断する回路（図示しない）も有し、停電のときに非常電源２４が作動するようになっている。
【００２８】
以上説明した非常灯機能付きＬＥＤランプ回路２０のうち、通常電源１４と非常電源２４を除く構成要素は、図２に示すように、非常灯機能付きＬＥＤランプ３１の中に配置されている。
非常灯機能付きＬＥＤランプ３１の外観は、図６に示すように、通常の蛍光灯とほぼ同一であり、ＬＥＤランプ３１の両端にはそれぞれ二本ずつ、ＬＥＤ１２に電源１４，２４からの電力を供給する電極３１ａ，３１ｂが設けられている。
そして、ＬＥＤランプ３１の一方の端部側に設けられた二本の電極３１ａに通常電源１４の正極及び負極が接続され、他方の端部側に設けられた二本の電極３１ｂに非常電源２４の正極及び負極が接続されている。
【００２９】
非常灯機能付きＬＥＤランプ３１と通常電源１４との間には、通常時においてユーザが非常灯機能付きＬＥＤランプ３１を点灯及び消灯するためのスイッチＳ１が設けられている。また、非常電源２４の動作確認用として、通常電源１４と非常灯機能付きＬＥＤランプ３１との間であって通常電源１４と非常電源２４との間には、回路を強制的に遮断して停電状態を作る試験用スイッチＳ２が設けられている。
【００３０】
このように構成された非常灯機能付きＬＥＤランプ回路２０は、次のように作動する。
通常時には非常時点灯ブロック２２を含む全ブロック２１におけるＬＥＤ１２に対し通常電源１４から順バイアスがかけられ、ＬＥＤ１２が発光する。通常時には非常電源２４は作動しないが、通常電源１４の電圧はダイオード２３に対して順バイアスであるので、電流がダイオード２３の下流側に接続された非常時点灯ブロック２２にも流れ、非常時点灯ブロック２２のＬＥＤ１２も通常時において発光する。このとき、非常灯機能付きＬＥＤランプ３１全体の照度は２００〜３００ルクスであり、非常灯機能付きＬＥＤランプ３１は蛍光灯と同様に通常の照明として使用される。
【００３１】
ここで、停電等の通常電源１４から電圧が供給されない非常時には、非常電源２４が停電を検知することで非常電源２４が作動する。この非常電源２４の電圧はダイオード２３に対して逆バイアスであるので、非常時点灯ブロック２２以外のブロック２１には電流が流れない。
一方、非常時点灯ブロック２２はダイオード２３の影響を受けないので、非常時点灯ブロック２２のＬＥＤ１２には非常電源２４から順バイアスがかかり、非常時点灯ブロック２２のＬＥＤ１２のみが点灯する。
その結果、非常時には非常時点灯ブロック２２が配置されたＬＥＤランプ３１の一方端部だけが発光し、非常時点灯ブロック２２の部分が非常灯として機能する。このとき、非常時点灯ブロック２２には通常時と同じ量の電流（１５ｍＡ）が流れ、非常時点灯ブロック２２のＬＥＤ１２は通常通りの明るさで発光するが、ＬＥＤランプ３１全体の照度は２ルクス程度となる。
【００３２】
以上のように構成された非常灯機能付きＬＥＤランプ回路２０によれば、ブロック２１を複数並列に接続するとともに、複数のブロック２１のうちの一つの非常時点灯ブロック２２にのみ直列でかつそのカソード側が非常時点灯ブロック２２における通常電源１４側に配置されるようにダイオード２３を接続し、非常時点灯ブロック２２の通常電源１４側とダイオード２３のカソード側との間に非常電源２４の正極を接続したので、通常電源１４から電圧が供給されない非常時には、非常時点灯ブロック２２のＬＥＤ１２に非常電源２４から順バイアスがかかるとともに、ダイオード２３には逆バイアスがかかることで、非常時点灯ブロック２２のみが点灯する。
よって、非常時における非常灯機能付きＬＥＤランプ回路２０の消費電力は通常時におけるものと比べて小さい。本実施形態においては、非常時の消費電力は通常時に比べ、略１００分の１となる。
【００３３】
しかも、この回路２０はＬＥＤ１２とゼナーダイオード１３からなるブロック２１を複数並列に接続した回路にダイオード２３と非常電源２４を加えただけであるので、その非常灯機能付きＬＥＤランプ回路２０の構造は簡易である。
また、各ブロック２１は、複数のＬＥＤ１２を直列に接続しそれら個々のＬＥＤ１２に対して、ＬＥＤ１２のオン電圧よりも高いゼナー電圧のゼナーダイオード１３をそのアノード側をＬＥＤ１２のカソード側にして並列に接続されてなるので、非常時に点灯する非常時点灯ブロック２２におけるＬＥＤ１２が断線した場合であっても、断線したＬＥＤ１２と並列に接続されたゼナーダイオード１３に電流が流れ、その非常時点灯ブロック２２の残りのＬＥＤ１２は点灯し続ける。これは、火災が原因で停電になったとき、その熱でＬＥＤ１２が断線してしまうことがあるが、火災で停電した場合であっても非常灯を点灯し続け易くするためである。もちろん、火災以外の他の原因で断線することもあり、それにも対応可能であるし、また、通常時において非常時点灯ブロック２２を含む全てのブロック２１のいずれかのＬＥＤ１２が断線しても、そのＬＥＤ１２を有するブロック２１は点灯し続ける。
【００３４】
また、通常電源１４は交流電源であって、その交流電流は第１ダイオードスタック１５によって直流電流に変換されるので、一般の家庭や事業所、工場等で使用されている交流電源を電源として使用することができる。特に、非常灯機能付きＬＥＤランプ回路２０のうち、通常電源１４と非常電源２４を除く構成要素は非常灯機能付きＬＥＤランプ３１の中に配置されているので、一般の家庭等に多く備えられている、蛍光灯を収容し蛍光灯に交流電圧を供給する蛍光灯器具に、蛍光灯の代わりに非常灯機能付きＬＥＤランプ３１を収容するだけでＬＥＤランプ３１を使用できる。よって、非常灯機能付きＬＥＤランプ３１導入のための工事が必要とはならず、ユーザは容易に蛍光灯を非常灯機能付きＬＥＤランプ３１に置き換えることができる。
【００３５】
さらに、非常電源２４は交流電源であって、その交流電流は第２ダイオードスタック２５によって直流電流に変換されるので、非常電源２４が直流電源の場合のように、接続の際に非常電源２４の正負を確認する必要がなく、非常電源２４の接続作業が容易である。また、設置業者が非常電源２４の正負を逆に接続していることに気付かずに設置作業を終了してしまい、非常時に非常灯機能付きＬＥＤランプ３１が作動しないということが起こらない。
【００３６】
また、複数のブロック２１のそれぞれに、定電流ダイオード１６を直列に接続しているので、いずれかのＬＥＤ１２が断線してそれと直列接続されている定電流ダイオード１６に印加される電圧が低下しても、断線したＬＥＤ１２を含むブロック２１に流れる電流は電圧に関係なく一定に制御され、安定した照度を引き続き確保することができる。
【００３７】
なお、本実施形態において、非常時点灯ブロック２２は複数のブロック２１のうち、一つのブロック２１としたが、図３に示すように、ダイオード２３を二つのブロック２１と直列に接続することで、二つのブロック２１を非常時点灯ブロック２２としてもよいし、それ以上の数のブロック２１であってもよい。但し、非常灯としての法定の照度を得ることができれば十分であるので、省電力の観点から、多くのブロック２１を非常時点灯ブロック２２とする必要はない。
【００３８】
また、交流電源を通常電源１４としたが、これに限られるものではなく、第１ダイオードスタック１５を設けず直流電源を使用してもよい。同様に、第２ダイオードスタックを設けず直流電源である充電電池２６をそのまま非常電源２４としてもよい。このように、直流電源を用いたときには、直流電源の正負を正確に接続する必要がある。
【００３９】
また、各ブロック２１の通常電源１４側に定電流ダイオード１６を直列に接続したが、これに限られるものではなく、定電流ダイオード１６は複数のＬＥＤ１２からなるブロック２１の任意のＬＥＤ１２のカソード側であってもよい。
さらには、定電流ダイオード１６を設けなくても、非常灯機能付きＬＥＤランプ回路２０としては機能する。このときは、図１に示す非常灯機能付きＬＥＤランプ回路２０から定電流ダイオード１６だけを除いた回路となる。つまり、ダイオード２３のカソード側が非常時点灯ブロック２２における通常電源１４側に接続され、そしてダイオード２３と非常時点灯ブロック２２との間に非常電源２４の正極が接続される。
【００４０】
また、非常灯機能付きＬＥＤランプ３１に使用されるＬＥＤ１２は砲弾型ＬＥＤとしたが、図５（ｂ）に示すような表面実装型ＬＥＤであってもよい。また図４に示すような、砲弾型ＬＥＤや表面実装型ＬＥＤの内部にある、発光する半導体素子そのものであるＬＥＤチップ２８を非常灯機能付きＬＥＤランプ３１内に直接配置してもよい。
また、非常灯機能付きＬＥＤランプ３１は、蛍光灯タイプであるとしたが、これに限られるものではない。
【符号の説明】
【００４１】
１０      ＬＥＤランプ回路
１１      ＬＥＤランプ
１２      ＬＥＤ
１３      ゼナーダイオード
１４      電源（通常電源）
１５      ダイオードスタック（第１ダイオードスタック）
１６      定電流ダイオード
２０      非常灯機能付きＬＥＤランプ回路
２１      ブロック
２２      一部のブロック（非常時点灯ブロック）
２３      ダイオード
２４      非常電源
２５      ダイオードスタック（第２ダイオードスタック）
２６      充電電池
２７      制御ユニット
２８      ＬＥＤチップ
３１      非常灯機能付きＬＥＤランプ
３１ａ    電極
３１ｂ    電極
Ｃ      コンデンサ
Ｓ１    スイッチ
Ｓ２    試験用スイッチ
【図１】
2011150852.tif 000003
【図２】
2011150852.tif 000004
【図３】
2011150852.tif 000005
【図４】
2011150852.tif 000006
【図５】
2011150852.tif 000007
【図６】
2011150852.tif 000008
【図７】
2011150852.tif 000009